(57)【要約】【課題】加熱コイル及び回路基板等の発熱部品を効率よく冷却することのできる誘導加熱調理器を得る。【解決手段】加熱コイル７の下方に設けられたインバーター回路基板２０（第一被冷却部品）及び電源基板３０（第二被冷却部品）と、吐出側がインバーター回路基板２０に向くように配置された冷却ファン４０とを備え、外郭の側壁には、背面吸気口１１（第一吸気口）及びインバーター回路基板２０よりも下側に形成された前面吸気口１２（第二吸気口）が設けられ、外郭の上面には排気口が設けられており、外郭内には、背面吸気口１１から冷却ファン４０の吸引側に至る第一吸気風路５１と、インバーター回路基板２０の下側に設けられ、前面吸気口１２から冷却ファン４０の吸引側に至り冷却ファン４０の吸引側において第一吸気風路５１と合流する第二吸気風路５２とが設けられており、加熱コイル７はインバーター回路基板２０を通過した後の冷却風が流れる空間と連通する位置に配置され、電源基板３０は第二吸気風路５２内に配置される。【選択図】図２
2014116266.tif 000002
【特許請求の範囲】
【請求項１】
上部に被加熱物が載置される外郭と、
前記外郭内に配置され、前記被加熱物を誘導加熱する加熱コイルと、
前記加熱コイルの下方に設けられた第一被冷却部品及び第二被冷却部品と、
吐出側が前記第一被冷却部品に向くように配置された冷却ファンとを備え、
前記外郭の周壁には、第一吸気口及び前記第一被冷却部品よりも下側に形成された第二吸気口が設けられ、
前記外郭の上面には、排気口が設けられており、
前記外郭内には、
前記第一吸気口から前記冷却ファンの吸引側に至る第一吸気風路と、
前記第一被冷却部品の下側に設けられ、前記第二吸気口から前記冷却ファンの吸引側に至り前記冷却ファンの吸引側において前記第一吸気風路と合流する第二吸気風路とが設けられており、
前記加熱コイルは、前記第一被冷却部品を通過した後の冷却風が流れる空間と連通する位置に配置され、
前記第二被冷却部品は、前記第二吸気風路内に配置される
ことを特徴とする誘導加熱調理器。
【請求項２】
前記第一吸気口及び前記第二吸気口は、前記外郭の側壁のうち互いに異なる方向に面した側壁に設けられている
ことを特徴とする請求項１記載の誘導加熱調理器。
【請求項３】
前記第一吸気口は、前記外郭の後壁に設けられ、
前記第二吸気口は、前記外郭の前壁に設けられている
ことを特徴とする請求項１又は請求項２に記載の誘導加熱調理器。
【請求項４】
前記冷却ファンの吸引側は、前記第二吸気口よりも前記第一吸気口に近い位置に配置されている
ことを特徴とする請求項１〜請求項３のいずれか一項に記載の誘導加熱調理器。
【請求項５】
前記冷却ファンの吐出側には、前記冷却ファンから送出される冷却風を、前記第一被冷却部品を経由せず前記加熱コイルに至るように分流させる風路が設けられている
ことを特徴とする請求項１〜請求項４のいずれか一項に記載の誘導加熱調理器。
【請求項６】
前記第一被冷却部品を前記冷却ファンの吐出断面を含む面上に投影した領域が前記冷却ファンの吐出断面の領域の範囲内となるように、前記第一被冷却部品が配置されている
ことを特徴とする請求項１〜請求項５のいずれか一項に記載の誘導加熱調理器。
【請求項７】
前記冷却ファンの吐出側の下端と同一平面上に、前記第一被冷却部品の下端が配置されている
ことを特徴とする請求項１〜請求項６のいずれか一項に記載の誘導加熱調理器。
【請求項８】
前記第二被冷却部品は、前記第一被冷却部品よりも発熱量が小さい
ことを特徴とする請求項１〜請求項７のいずれか一項に記載の誘導加熱調理器。
【請求項９】
前記第二吸気風路の流れ方向と直交する方向における前記第二被冷却部品の断面積は、前記第二吸気風路の流れ方向と直交する方向における前記第二吸気風路の断面積よりも小さい
ことを特徴とする請求項１〜請求項８のいずれか一項に記載の誘導加熱調理器。
【請求項１０】
前記第二吸気風路内に設けられ、前記加熱コイルに高周波電力を供給する第三被冷却部品を備えた
ことを特徴とする請求項１〜請求項９のいずれか一項に記載の誘導加熱調理器。
【請求項１１】
前記第三被冷却部品は、前記第一被冷却部品よりも発熱量が小さい
ことを特徴とする請求項１０記載の誘導加熱調理器。
【請求項１２】
前記第二吸気風路内に設けられ、前記冷却ファンの吸引側に向けて送風する第二冷却ファンを備えた
ことを特徴とする請求項１〜請求項１１のいずれか一項に記載の誘導加熱調理器。
【請求項１３】
前記冷却ファンは軸流ファンである
ことを特徴とする請求項１〜請求項１２のいずれか一項に記載の誘導加熱調理器。
【請求項１４】
キッチンキャビネット内に組み込まれるビルトイン型の誘導加熱調理器である
ことを特徴とする請求項１〜請求項１３のいずれか一項に記載の誘導加熱調理器。
【発明の詳細な説明】
【技術分野】
【０００１】
本発明は、被加熱物を加熱コイルで誘導加熱する誘導加熱調理器に関する。
【背景技術】
【０００２】
従来、誘導加熱調理器の内部に設けられた加熱コイルまたは回路部品等の発熱部品を冷却するための技術が提案されている。そのようなものとして、誘導加熱調理器の外郭内にはインバーター基板と電源基板とを別の基板として設けるとともに、ダクト吸気口及びダクト排気口が形成されたダクトを設け、電源基板の近傍にダクト吸気口を配置し、外郭内へ冷却風を取り込むための外郭吸気口の近傍にダクト排気口を配置した誘導加熱調理器が提案されている（例えば、特許文献１参照）。この特許文献１に記載の誘導加熱調理器は、ダクト吸気口を介して電源基板の近傍の空気を吸い込み、電源基板の近傍に冷却風の流れを生じさせて電源基板を冷却しようとしている。
【０００３】
また、他の誘導加熱調理器として、回路基板の上に縦軸型の遠心ファンで構成された冷却ファンを設けるとともに、冷却ファンから送出された冷却風の風路を、回路基板に送る風路と加熱コイルに送る風路とに分離し、回路基板と加熱コイルとを別の風路を通る冷却風で冷却するようにしたものが提案されている（例えば、特許文献２、３参照）。
【先行技術文献】
【特許文献】
【０００４】
【特許文献１】特開２０１１−１１３７０１号公報（図１）
【特許文献２】特開２００９−２８３３９４号公報（図２、図４）
【特許文献３】特開２０１１−９６４４１号公報（図３、図５）
【発明の概要】
【発明が解決しようとする課題】
【０００５】
特許文献１に記載の誘導加熱調理器では、インバーター基板や加熱コイルの近傍を通過してそれらによって加温された冷却風が、電源基板に送られる。このため、電源基板の冷却効率が低下するという課題があった。また、ダクト排気口が外郭吸気口の近傍に設けられているため、インバーター基板、加熱コイル、及び電源基板の熱で加温されダクト排気口から外部へ排出された空気が、外郭吸気口から外郭内へ流入する。したがって、誘導加熱調理器の外郭内で加温された空気が冷却風として外郭内を循環することになり、誘導加熱調理器の運転時間の経過に伴って冷却風の温度が上昇し、誘導加熱調理器全体の冷却効率が低下していた。
【０００６】
特許文献２、３に記載の誘導加熱調理器では、回路基板の上側に縦軸型の遠心ファンで構成された冷却ファンを配置している。このため、回路基板に実装される部品の中でも特に冷却が必要なヒートシンクの実装位置は、上から見て冷却ファンと重ならない位置である外郭の前方側に限定され、外郭内に収容される他の部品の配置が制約されてしまう。また、回路基板に冷却風を送る風路と加熱コイルを冷却する風路とが分離されており、両者をともに効率よく冷却するためには、冷却ファンの回転数を上げて風量を増加させる必要があり、冷却ファンの運転に伴う騒音及び消費電力の増加という課題が生じていた。
【０００７】
本発明は上記のような課題を背景としてなされたものであり、加熱コイル及び回路基板等の発熱部品を効率よく冷却することのできる誘導加熱調理器を提供するものである。
【課題を解決するための手段】
【０００８】
本発明に係る誘導加熱調理器は、上部に被加熱物が載置される外郭と、前記外郭内に配置され、前記被加熱物を誘導加熱する加熱コイルと、前記加熱コイルの下方に設けられた第一被冷却部品及び第二被冷却部品と、吐出側が前記第一被冷却部品に向くように配置された冷却ファンとを備え、前記外郭の側壁には、第一吸気口及び前記第一被冷却部品よりも下側に形成された第二吸気口が設けられ、前記外郭の上面には、排気口が設けられており、前記外郭内には、前記第一吸気口から前記冷却ファンの吸引側に至る第一吸気風路と、前記第一被冷却部品の下側に設けられ、前記第二吸気口から前記冷却ファンの吸引側に至り前記冷却ファンの吸引側において前記第一吸気風路と合流する第二吸気風路とが設けられており、前記加熱コイルは、前記第一被冷却部品を通過した後の冷却風が流れる空間と連通する位置に配置され、前記第二被冷却部品は、前記第二吸気風路内に配置されるものである。
【発明の効果】
【０００９】
本発明によれば、外郭の外部から冷却ファンへ吸引される冷却風が通過する第二吸気風路内に第二被冷却部品を配置したので、第二被冷却部品を効率よく冷却することができる。また、第一吸気風路を通って吸引される空気と第二吸気風路を通って吸引される空気とを合流させて冷却ファンから冷却風として送出するので、第二被冷却部品によって加温された空気は、第一吸気風路から吸引される空気と混合され、冷却ファンから送出する冷却風の温度を低下させることができる。したがって、冷却ファンの吐出側に配置される部品を効率よく冷却することができる。また、冷却ファンから送出された冷却風が第一被冷却部品及び加熱コイルを冷却するため、第一被冷却部品と加熱コイルとを効率よく冷却することができる。
【図面の簡単な説明】
【００１０】
【図１】実施の形態１、２、３に係る誘導加熱調理器１００の外観斜視図である。
【図２】実施の形態１に係る誘導加熱調理器１００の概略断面図であり、図１のＺ−Ｚ線に沿う断面を示す図である。
【図３】実施の形態１に係る誘導加熱調理器１００の概略断面図であり、図２のＹ−Ｙ線に沿う断面を示す図である。
【図４】実施の形態１に係る風路ユニットの斜視図である。
【図５】実施の形態１に係る風路ユニット及びダクト形成部材の分解斜視図である。
【図６】実施の形態２に係る誘導加熱調理器１００の概略断面図であり、図１のＺ−Ｚ線に沿う断面を示す図である。
【図７】実施の形態２に係る誘導加熱調理器１００の概略断面図であり、図６のＸ−Ｘ線に沿う断面を示す図である。
【図８】実施の形態３に係る誘導加熱調理器１００の概略断面図であり、図１のＺ−Ｚ線に沿う断面を示す図である。
【発明を実施するための形態】
【００１１】
以下、本発明に係る誘導加熱調理器の実施の形態を、図面を参照して説明する。なお、以下に示す図面の形態によって本発明が限定されるものではない。また、以降の説明において、理解を容易にするために方向を示す用語（例えば、「前」、「後」、「右」、「左」等）を用いることがあるが、これは説明のためのものであって、本願発明を限定するものではない。
【００１２】
実施の形態１．
［誘導加熱調理器の構成］
図１は、実施の形態１に係る誘導加熱調理器１００の外観斜視図である。実施の形態１に係る誘導加熱調理器１００は、キッチンキャビネット内に収容されて使用されるビルトイン型の誘導加熱調理器であり、箱状の本体ケース１と、本体ケース１の上に載置された天板部２とを備える。天板部２は、本実施の形態では、例えばセラミック製のプレート（天板）２ａとプレート２ａの外周を囲む金属製のプレート枠２ｂとを主要な構成要素としている。本体ケース１及び天板部２は、誘導加熱調理器１００の外郭を構成しており、天板部２の上には鍋等の被加熱物が載置される。本実施の形態１の誘導加熱調理器１００には３つの加熱口３が設けられており、天板部２には、被加熱物を載置する目安の位置が加熱口３ごとに印刷等によって表示されている。天板部２の手前側には、各加熱口３に対応して設けられ押しボタン又はタッチパネルで構成された操作部４と、誘導加熱調理器１００の動作状態や各加熱口３における加熱条件等の各種情報を表示する液晶画面やランプ等で構成された表示部５が設けられている。
【００１３】
本体ケース１内であって天板部２の下方には、内部に電気ヒーター等の加熱手段を有し前面が引き出し式の扉で覆われたグリル部６と、グリル部６の上側に設置され加熱口３に載置される被加熱物を加熱する加熱手段（図１には図示せず）が設けられている。本実施の形態１では、３つの加熱口３のうち前側の左右２つの加熱口３にそれぞれ対応して加熱手段としての加熱コイル７（図１には図示せず。図２参照。）が設けられ、中央後方の加熱口３に対応してラジエントヒーター（図示せず）が設けられている。ラジエントヒーターは、商用周波数の交流電力が供給されてヒーターそのものが発熱することにより輻射熱で被加熱物を加熱するものである。なお、すべての加熱口３に加熱コイル７を設けてもよい。
【００１４】
本体ケース１の周囲を構成する周壁（後壁及び右側壁の一部）には、背面吸気口１１が形成されている。なお、ここで本体ケース１の周壁とは、本体ケース１の周方向の外郭を形成する壁、すなわち前壁、左右の側壁、及び後壁をいう。本実施の形態１の背面吸気口１１は、本体ケース１の周壁を構成する板金に形成された複数の開口部によって構成されている。なお、背面吸気口１１の大きさ及び形状は図示のものに限定されない。
また、本体ケース１の前部下方には、前面吸気口カバー１３が取り付けられており、この前面吸気口カバー１３に覆われた本体ケース１の周壁（前壁）に、前面吸気口１２（図２参照）が形成されている。背面吸気口１１及び前面吸気口１２は、外部から本体ケース１内への空気の流入口である。
【００１５】
なお、背面吸気口１１は本発明の第一吸気口に相当し、前面吸気口１２は本発明の第二吸気口に相当する。
【００１６】
天板部２の後部、より詳しくは天板部２の一部を構成するプレート枠２ｂの後部には、本体ケース１内から外部への空気の流出口となる排気口１４が形成されている。本実施の形態では、天板部２の幅方向に延びる２つの排気口１４が設けられている。排気口１４の上側には、板金等の耐熱性の高い材料で構成され通気可能な開口部を有する排気口カバー（図示せず）が載置され、排気口１４内への異物の侵入が抑制される。なお、本実施の形態では、プレート２ａとプレート枠２ｂとを主要な構成要素とする天板部２を設け、プレート枠２ｂに排気口１４を形成した例を示すが、天板部２の具体的構成及び排気口１４が形成される具体的な部材はこれに限定されない。例えば、プレート枠２ｂを設けずプレート２ａに排気口１４を形成してもよく、誘導加熱調理器１００の外郭の上面を構成する部材に、本体ケース１内と連通する排気口１４を形成すればよい。
【００１７】
図２は、実施の形態１に係る誘導加熱調理器１００の概略断面図であり、図１のＺ−Ｚ線に沿う断面を示す図である。図３は、実施の形態１に係る誘導加熱調理器１００の概略断面図であり、図２のＹ−Ｙ線に沿う断面を示す図である。なお、図２、図３には、誘導加熱調理器１００が据え付けられるキッチンキャビネット２００も併せて図示している。また、図２では、冷却ファン４０が動作することによって生じる空気の流れを矢印で概念的に示している。
【００１８】
まず、キッチンキャビネット２００の構成について簡単に説明する。キッチンキャビネット２００には、誘導加熱調理器１００の本体ケース１が嵌め込まれる空間である調理器収容部２０５が形成されている。調理器収容部２０５は、キャビネット天板部２０１と、キャビネット後壁２０２と、キャビネット底板２０３と、キャビネット側板２０４とによって囲まれている。キャビネット天板部２０１には、天板部２の面積よりも小さくかつ本体ケース１の上部の面積よりもやや大きいキャビネット開口部２０６が形成されており、このキャビネット開口部２０６から調理器収容部２０５内へ本体ケース１が嵌め込まれる。誘導加熱調理器１００がキッチンキャビネット２００に組み込まれた状態においては、天板部２の周縁が、キャビネット天板部２０１のキャビネット開口部２０６の周縁の上に載置される。キャビネット開口部２０６と誘導加熱調理器１００との隙間は、シール部材で封止される。キッチンキャビネット２００に誘導加熱調理器１００が組み込まれた状態において、調理器収容部２０５の内部とキッチンキャビネット２００の外部とは、吸気用開口部２０７を介して連通しており、また、調理器収容部２０５の内面と本体ケース１の外面との間には通風可能な隙間が形成される。
【００１９】
次に、誘導加熱調理器１００の構成を説明する。
本体ケース１の内部であって天板部２の下側には、コイル保持台に載置された加熱コイル７が配置されている。加熱コイル７よりも下側には、第一基板保持台４１の上に載置されたインバーター回路基板２０が配置され、インバーター回路基板２０よりも下側には第二基板保持台４３の上に載置された電源基板３０が配置されている。インバーター回路基板２０の上側は、基板カバー４２で覆われている。インバーター回路基板２０よりも後方寄りの位置には、本体ケース１に形成された背面吸気口１１との間に隙間を介して冷却ファン４０が配置されている。冷却ファン４０の上方には、ダクト形成部材４４が設けられている。図３に示すように、本体ケース１の内部において、左に寄った位置にグリル部６が配置され、他方にインバーター回路基板２０及びその周辺部材が配置されている。なお、図３に示す左右の位置関係を反転させてグリル部６を右に寄せて配置してもよい。
【００２０】
インバーター回路基板２０は、基板２１と、基板２１に実装され加熱コイル７に高周波電力を供給するインバーター回路を構成するスイッチング素子２２と（図３参照）、スイッチング素子２２に取り付けられたヒートシンク２３とを備える。スイッチング素子２２を備えたインバーター回路基板２０は、電源基板３０よりも発熱量が大きい。
【００２１】
電源基板３０は、基板３１と、基板３１に実装された電源回路部品３２とを備える。基板３１にはノイズフィルター回路も実装される。電源基板３０は、インバーター回路基板２０及び冷却ファン４０等に電源を供給する。電源基板３０からインバーター回路基板２０に供給された商用電源は、インバーター回路基板２０によって高周波電力に変換され、加熱コイル７に供給される。加熱コイル７に高周波電力が供給されると、加熱コイル７の周囲に高周波磁界が発生し、天板部２の上に載置された被加熱物に渦電流が生じ、被加熱物自体が発熱する。電源基板３０は、加熱コイル７の下側に配置されたインバーター回路基板２０よりもさらに下側に設置されており、加熱コイル７と距離が離れているため、電源基板３０は加熱コイル７から発せられるノイズの影響を受けにくく、ノイズのある電力供給を減らすことができる。
【００２２】
なお、インバーター回路基板２０は本発明の第一被冷却部品に相当し、電源基板３０は本発明の第二被冷却部品に相当する。
また、ここでは特に説明しないが、基板２１及び基板３１には、誘導加熱調理器１００が必要とする機能に応じた部品が適宜実装される。
【００２３】
冷却ファン４０は、本実施の形態１では軸流ファンで構成されており、回転軸が前後方向に概ね水平に向くようにして、第一基板保持台４１の上に設置されている。冷却ファン４０の吐出側はインバーター回路基板２０と対向しており、冷却ファン４０から送出された冷却風は、インバーター回路基板２０に向かって流れる。本実施の形態１では、冷却ファン４０の吐出断面を含む面上にインバーター回路基板２０を投影した領域が冷却ファン４０の吐出断面の領域の範囲内となるようにインバーター回路基板２０が配置されており、冷却ファン４０から送出される冷却風をインバーター回路基板２０の全体に向けて吹き付けることができる。また、冷却ファン４０の吐出側の下端は、インバーター回路基板２０の下端と同一平面上に配置されている。冷却ファン４０の吐出側の下端とインバーター回路基板２０の下端とを同一平面上に配置することで、冷却ファン４０から送出された冷却風を無駄なくインバーター回路基板２０に供給することができる。また、インバーター回路基板２０及び冷却ファン４０の下側に凹凸の少ないスペースを確保できるので、本実施の形態１のように誘導加熱調理器１００の動作に必要な回路基板の一部（電源基板３０）を設置することができる。このため、本体ケース１内のスペースを有効活用でき、また、電源基板３０の近傍を流れる冷却風の妨げにもなりにくい。また、誘導加熱調理器１００の動作に必要な回路基板を複数に分けて配置することができるので、一枚の基板上の部品の密集度を低減でき、各基板に実装される部品の通風抵抗の増加を抑制できる。なお、「同一平面上」とは、完全に同一平面上であることを意味するものではなく、冷却ファン４０から送出された冷却風が大きく妨げられない程度の多少の段差の存在を許容するものである。
【００２４】
また、冷却ファン４０の吐出面の上部は、基板カバー４２よりも上側に突出しており、冷却ファン４０から送出される冷却風は、基板カバー４２の下側と上側とに分流する。基板カバー４２の下側に位置する冷却ファン４０の吐出側の面積は、基板カバー４２の上側に位置する面積よりも大きく、基板カバー４２の下側に流れる冷却風の方が上側に流れる冷却風よりも風量が大きい。
【００２５】
ダクト形成部材４４は、本体ケース１の後壁の内面から本体ケース１の内方に向かって概ね庇状に突出し、冷却ファン４０の吸引側の空間、冷却ファン４０、及び基板カバー４２の一部の上側を覆う。ダクト形成部材４４の後端部は、本体ケース１の後壁の内面の背面吸気口１１よりも上側に当接しており、ダクト形成部材４４の下側には背面吸気口１１から流入して冷却ファン４０へ向かう空気が流れる空間が形成される。ダクト形成部材４４の下面と基板カバー４２の上面との間には、高さ方向に隙間があり、冷却ファン４０から送出された冷却風はこの隙間を通過することができる。ダクト形成部材４４の前端部よりも前方には、加熱コイル７に通じる隙間が形成されており、この隙間から出た冷却風は加熱コイル７に向かって流れる。
【００２６】
ダクト形成部材４４の上側には、天板部２の下面との間に通風可能な隙間が設けられている。ダクト形成部材４４の上側の隙間は排気口１４に通じており、ダクト形成部材４４の上側を流れる空気は、排気口１４から誘導加熱調理器１００の外部へと流出する。
【００２７】
誘導加熱調理器１００の内部を冷却する冷却風の流れる風路構成を、図２を参照して説明する。
図２に示すように、背面吸気口１１と冷却ファン４０の吸引側との間に形成される風路を、第一吸気風路５１という。また、第一基板保持台４１と本体ケース１の底板との間に形成され、前面吸気口１２から冷却ファン４０の吸引側に至る風路を、第二吸気風路５２という。第一吸気風路５１と第二吸気風路５２は、ともに冷却ファン４０の吸引側に連通しており、冷却ファン４０の吸引側（冷却ファン４０の上流側）において合流する。本実施の形態１では、冷却ファン４０の吸引側と背面吸気口１１との間の距離は、冷却ファン４０の吸引側と前面吸気口１２との間の距離よりも短い。すなわち、第一吸気風路５１は、第二吸気風路５２よりも経路長が短い。
【００２８】
冷却ファン４０の吐出側と連通する風路であって、基板カバー４２の内部に形成される風路を、第一吹出風路５３という。また、冷却ファン４０の吐出側と連通し、基板カバー４２の上側とダクト形成部材４４との間に形成される風路を、第二吹出風路５４という。
【００２９】
［風路ユニットの構成］
本実施の形態１では、第一基板保持台４１、基板カバー４２、第二基板保持台４３及び冷却ファン４０がユニット化されて、本体ケース１内に収容される。これらユニット化されたものを風路ユニットと称する。風路ユニット及びこれに付帯する構成を、図４及び図５を参照して説明する。
図４は、実施の形態１に係る風路ユニットの斜視図である。図５は、実施の形態１に係る風路ユニット及びこれに付帯する部品の分解斜視図である。
【００３０】
第一基板保持台４１は、インバーター回路基板２０が載置される概ね平板状の支持板４１１と、支持板４１１の前及び左右の周縁部から上方に起立する上部周壁４１２と、支持板４１１の左右の周縁部から下方に向かって延びる下部周壁４１３とを主な構成要素としている。支持板４１１の後端部の上側は周壁によって囲まれておらず、冷却ファン４０の吐出側と連通する。
また、支持板４１１の前端部の下側には周壁が設けられておらず保持台下部流入口４１４が形成されており、風路ユニットが本体ケース１内に組みこまれた状態においては、保持台下部流入口４１４は前面吸気口１２と連通する。また、支持板４１１の後端部の下側には周壁が設けられておらず、冷却ファン４０の吸引側と連通する。
支持板４１１の下側には、支持板４１１及び下部周壁４１３の内面で囲まれたトンネル状の風路が形成され、このトンネル状の風路の中に、第二基板保持台４３及びこれに保持された電源基板３０が収容される。
【００３１】
基板カバー４２は、第一基板保持台４１の上部に組み付けられ、第一基板保持台４１との間にインバーター回路基板２０を収容する。基板カバー４２の上面には、冷却風吹出口４２１が開口している。冷却風吹出口４２１は、基板カバー４２の前方寄りであって冷却ファン４０から離れた位置に開口しており、基板カバー４２内を後から前に向かう冷却風が流れる距離を長くしている。
【００３２】
ダクト形成部材４４は、冷却ファン４０の上側を覆うダクト上板４４１と、ダクト上板４４１の左右端部から下側に延び冷却ファン４０の左右を覆うダクト側板４４２とを主要な構成要素としている。ダクト上板４４１及びダクト側板４４２の内側には、概ねトンネル状の風路が形成され、この風路内に冷却ファン４０が配置される。
【００３３】
ダクト上板４４１の後側の一部は、前後方向及び左右方向に傾斜したダクト上板傾斜面４４３が形成されている。ダクト上板傾斜面４４３は、ダクト形成部材４４が本体ケース１内に組み込まれた状態においては、排気口１４の下側（上から見たときに排気口１４と重なる位置）に位置する。このため、吹き零れた液体や油煙、ゴミ等の異物が排気口１４から本体ケース１内に流入した場合であっても、流入した異物がダクト上板傾斜面４４３の上に落下して傾斜面に沿って流れ、図示しない異物の排出口に流れる。したがって、異物がダクト形成部材４４の上に蓄積したりダクト形成部材４４の下に流入したりすることを抑制できる。なお、ダクト上板傾斜面４４３の傾斜方向は、異物の排出口に向かう方向であればいずれの方向でもよい。
【００３４】
［誘導加熱調理器の動作及び作用］
次に、実施の形態１に係る誘導加熱調理器１００の動作及び作用を説明する。ここでは、図２を参照して、冷却ファン４０が動作することによって生じる冷却風の流れを中心に説明する。
加熱コイル７が設けられた加熱口３で加熱調理を行う場合、使用者が天板部２の加熱口３の上に鍋等の被加熱物を載置して操作部４に加熱開始の指示を入力すると、インバーター回路基板２０から加熱コイル７に高周波電力が供給され、天板部２の上に載置された被加熱物が誘導加熱される。そして、冷却ファン４０が動作を開始する。
【００３５】
図２に示すように、冷却ファン４０が動作すると、冷却ファン４０の吸引作用により、本体ケース１の外側の空気が背面吸気口１１から本体ケース１の内部へと吸い込まれ、第一吸気風路５１内に冷却ファン４０へ向かう空気の流れが形成される。本体ケース１とキッチンキャビネット２００の調理器収容部２０５との間には通風可能な空間が設けられており、調理器収容部２０５内の空気が本体ケース１内へと吸い込まれる。また、調理器収容部２０５は吸気用開口部２０７を介してキッチンキャビネット２００の外部と連通しているため、キッチンキャビネット２００の外部の空気、すなわちキッチン内の空気が、背面吸気口１１から本体ケース１内へと吸い込まれることになる。
【００３６】
また、冷却ファン４０が動作すると、冷却ファン４０の吸引側と連通する前面吸気口１２にも吸引力が生じ、本体ケース１の外部の空気が前面吸気口１２を通って本体ケース１の内部へと吸い込まれ、第二吸気風路５２内に冷却ファン４０へ向かう空気の流れが形成される。第二吸気風路５２内には、電源基板３０が配置されており、第二吸気風路５２内を流れる冷却風が電源基板３０の周囲を通過することで電源基板３０が冷却される。なお、第二吸気風路５２内の冷却風の流れ方向と直交する方向における電源基板３０の断面積（最大値）は、同方向における第二吸気風路５２の断面積よりも小さく、電源基板３０が第二吸気風路５２内の冷却風の流れをせき止めることはない。本実施の形態１では、冷却ファン４０の吸引側が本体ケース１の後方寄りに配置されているのに対し、第二吸気風路５２の入口である前面吸気口１２は本体ケース１の前面に形成されているので、第二吸気風路５２の距離を確保することができ、冷却ファン４０に至る経路内を被冷却部品の冷却のためのスペースとして有効に活用できる。
【００３７】
第二吸気風路５２を流れ、電源基板３０の周囲を通過するときに電源基板３０の熱で加温された空気は、冷却ファン４０の吸引側において第一吸気風路５１を流れる空気に合流する。第一吸気風路５１を流れる空気は、本体ケース１の外部から吸引された比較的低温の空気（室温）であるので、第二吸気風路５２を通過し加温された空気よりも低温化された空気が、冷却ファン４０から送出される。このため、冷却ファン４０の吐出側に配置された部品を、効率よく冷却することができる。
【００３８】
冷却ファン４０から送出された冷却風の一部は、第一吹出風路５３、すなわち基板カバー４２の内部を流れ、インバーター回路基板２０の周囲を通過する。インバーター回路基板２０の周囲を冷却風が通過することで、インバーター回路基板２０に実装されたヒートシンク２３が冷却され、これによってスイッチング素子２２も冷却されて高温化が抑制される。インバーター回路基板２０のスイッチング素子２２は、誘導加熱調理器１００内の部品の中でも特に高温化しやすいものであるが、冷却ファン４０の吐出側にインバーター回路基板２０が配置されているため、冷却ファン４０から送出される冷却風の多くがインバーター回路基板２０に供給され、インバーター回路基板２０を効率的に冷却することができる。そして、第一吹出風路５３を通過した冷却風は、基板カバー４２の上面に形成された冷却風吹出口４２１から吹き出される。冷却風吹出口４２１は、風路ユニットが本体ケース１に組み込まれた状態において本体ケース１の上端の開口の範囲内に形成されているため、冷却風吹出口４２１から吹き出された冷却風は、本体ケース１の前方に設けられた略水平に延びる壁に衝突することなくスムーズに加熱コイル７に流れる。
【００３９】
冷却風吹出口４２１から吹き出された冷却風は、冷却風吹出口４２１の上に配置された加熱コイル７に吹き付けられて加熱コイル７の近傍を通過し、加熱コイル７の近傍を通過する冷却風によって加熱コイル７が冷却される。
【００４０】
また、冷却ファン４０から送出された冷却風の一部は、第二吹出風路５４、すなわち基板カバー４２とダクト形成部材４４との間に形成された風路を流れ、その後、ダクト形成部材４４の前端部よりも前側に形成された隙間から上に向かって進み、加熱コイル７に吹き付けられて加熱コイル７の近傍を通過する。第二吹出風路５４から送られる冷却風が加熱コイル７の近傍を流れることで、加熱コイル７が冷却される。第二吹出風路５４内には発熱部品が配置されていないため、第二吹出風路５４から加熱コイル７に供給される冷却風は、第一吹出風路５３から加熱コイル７に供給される冷却風よりも低温であり、加熱コイル７を効率よく冷却することができる。また、冷却ファン４０から送出された冷却風は、第一吹出風路５３と第二吹出風路５４に一旦は分流するものの、その後合流して加熱コイル７に吹き付けられるので、加熱コイル７を効率よく冷却することができる。また、第一吹出風路５３を通過する際にインバーター回路基板２０の熱で加温された冷却風は、第二吹出風路５４から吹き出される比較的低温の冷却風と混ざって低温化するため、加熱コイル７の冷却効率の低下を抑制できる。
【００４１】
加熱コイル７の周囲を通過する冷却風は、天板部２の下面に沿って排気口１４が形成された天板部２の後方に向かって流れる。排気口１４の下側に設けられたダクト形成部材４４が、冷却ファン４０の吸引側の上方を覆っているので、冷却ファン４０から吹き出されインバーター回路基板２０や加熱コイル７等の熱で加温された冷却風が冷却ファン４０の吸引側に再吸気されるのを防ぐことができる。天板部２の下面に沿って後方に流れた冷却風は、排気口１４から誘導加熱調理器１００の外部へと流出する。排気口１４は天板部２の後方に設けられているため、排気口１４から流出する空気はキッチン内を循環しやすく、キッチンの部分的な温度上昇を抑制することができる。また、本実施の形態１では、天板部２の後方に設けられた排気口１４から排気が行われるのに対し、本体ケース１内に冷却風として供給される空気は誘導加熱調理器１００の前方の空気であるので、排気された高温の空気が高温のまま吸気されるということも生じにくく、冷却効率の低下を抑制することができる。また、本体ケース１内には室温に近い空気がほぼ定常的に供給されるので、冷却効率を安定的に維持することができる。
【００４２】
また、天板部２には吸気口を設けていないため、天板部２に吸気口と排気口の両方を設ける場合と比べて、排気口１４の開口面積を大きくすることができる。特に本実施の形態１では、２つの排気口１４の幅寸法の合計は、本体ケース１の幅寸法と同程度である。このように排気口１４の開口面積を大きくすることで、開口面積が小さい場合よりも排気口１４における円滑な排気が行え、効率よく冷却風を循環させることができる。
【００４３】
また、背面吸気口１１と前面吸気口１２という２つの吸気口が設けられているので、１つの吸気口を設けた場合よりも吸気面積を拡大されて冷却風量が増加し、冷却効率を向上させることができる。また、背面吸気口１１と前面吸気口１２は、天板部２とは異なる方向に面しているので、加熱調理によって天板部２の上側に生じる蒸気や油煙が背面吸気口１１及び前面吸気口１２から吸い込まれにくい。したがって、蒸気や油煙が冷却風と一緒にインバーター回路基板１０や電源基板３０等の部品の周囲を流れることによる部品の故障を抑制することができる。なお、本実施の形態１では、第一吸気口を本体ケース１の背面に設け（背面吸気口１１）、第二吸気口を本体ケース１の前面に設けた（前面吸気口１２）例を示したが、第一吸気口及び第二吸気口の配置はこれに限定されず、例えば一方を背面に設け、他方を左右いずれかの側面に設けてもよい。
【００４４】
また、背面吸気口１１と前面吸気口１２という複数の吸気口を設けるとともに、それぞれを入口とする第一吸気風路５１と第二吸気風路５２という複数の吸気風路を設けているが、冷却ファン４０は吸引側を一箇所のみ有する軸流ファンであるため、複数の吸気風路を通過した空気は冷却ファン４０の吸引側（上流）で混合される。したがって、複数の吸気風路のいずれかを被冷却部品を冷却するための風路として利用した場合であっても、被冷却部品によって加温された空気がその温度のまま冷却ファン４０から送出されることはなく、冷却ファン４０の吐出側に配置された被冷却部品の冷却効率への影響を小さくすることができる。
【００４５】
また、上記のように本実施の形態１の誘導加熱調理器１００は、本体ケース１の内部の被冷却部品を効率よく冷却できるので、冷却ファン４０の回転数を抑制することができる。したがって、冷却ファン４０の消費電力及び騒音を抑制することができる。
【００４６】
実施の形態２．
本実施の形態２では、第二吸気風路５２にさらに被冷却部品を設置した構成例を説明する。本実施の形態２では実施の形態１との相違点を中心に説明し、実施の形態１と同様の構成については同一の符号を付す。なお、実施の形態２に係る誘導加熱調理器１００は、図１に示した構成は実施の形態１と同様である。
【００４７】
図６は、実施の形態２に係る誘導加熱調理器１００の概略断面図であり、図１のＺ−Ｚ線に沿う断面を示す図である。図７は、実施の形態２に係る誘導加熱調理器１００の概略断面図であり、図６のＸ−Ｘ線に沿う断面を示す図である。本実施の形態２の誘導加熱調理器１００は、第二吸気風路５２内に、第二インバーター回路基板６０を備えている。第二インバーター回路基板６０は、基板６１と、基板６１に実装されたスイッチング素子６２と、スイッチング素子６２に取り付けられたヒートシンク６３とを備え、基本的な構成は実施の形態１で説明したインバーター回路基板２０と同様である。この第二インバーター回路基板６０は、誘導加熱調理器１００に設けられた複数の加熱コイル７のうちのいずれかに高周波電力を供給するためのものである。なお、第二インバーター回路基板６０は、本発明の第三被冷却部品に相当する。
【００４８】
本実施の形態２では、第二インバーター回路基板６０の基板６１は、第一基板保持台４１の支持板４１１の下面に取り付けられており、第二インバーター回路基板６０は風路ユニットに一体化される構成である。このため、誘導加熱調理器１００を組み立てる際には、第二インバーター回路基板６０を組み付けた風路ユニットを、本体ケース１内に設置することができるので、第二インバーター回路基板６０を例えば本体ケース１の底面等に設置する場合と比べて組み立て作業を行いやすい。また、例えば第二インバーター回路基板６０のメンテナンスが必要になった場合でも、風路ユニットごと本体ケース１から取り外すことができるので、取り外しが容易である。
【００４９】
本実施の形態２の誘導加熱調理器１００の冷却風の流れ方は、実施の形態１で説明したものと同様である。本実施の形態２の第二吸気風路５２には、電源基板３０と第二インバーター回路基板６０という２つの被冷却部品が設置されているので、前面吸気口１２から吸い込まれた空気は、第二吸気風路５２内において電源基板３０と第二インバーター回路基板６０の周囲を通過し、これらを冷却することができる。電源基板３０と第二インバーター回路基板６０の熱によって加温された空気は、第一吸気風路５１内の空気と冷却ファン４０の吸引側において合流し、冷却ファン４０から冷却風として送出される。
【００５０】
本実施の形態２では、第二吸気風路５２内にインバーター回路基板２０とは別に第二インバーター回路基板６０を設けた。比較的発熱量の大きいスイッチング素子を備えた基板を分散配置することで、一つの基板の部品密集度を抑制して通風抵抗の増加を抑え、基板に実装された部品を効率よく冷却することができる。また、実施の形態１で説明したものよりも加熱コイル７の数を増やした場合であっても、その加熱コイル７に高周波電力を供給するインバーター回路基板を、効率よく冷却することができる場所に配置することができる。なお、第二吸気風路５２内に設ける第三被冷却部品（第二インバーター回路基板６０）は、第一被冷却部品（インバーター回路基板２０）よりも発熱量の小さいものとするのが好ましい。言い替えると、冷却ファン４０の吐出側に設けられる第一被冷却部品（インバーター回路基板２０）として、第三被冷却部品（第二インバーター回路基板６０）よりも発熱量の大きいものを配置する。このようにすることで、冷却ファン４０の上流側における冷却風の温度上昇を抑制し、最も冷却を必要とする発熱量の大きい部品を効率よく冷却することができる。
【００５１】
実施の形態３．
本実施の形態３では、第二吸気風路５２にも冷却ファンを設置した構成例を説明する。本実施の形態３では実施の形態２との相違点を中心に説明し、実施の形態２と同様の構成については同一の符号を付す。なお、実施の形態３に係る誘導加熱調理器１００は、図１に示した構成は実施の形態１と同様である。
【００５２】
図８は、実施の形態３に係る誘導加熱調理器１００の概略断面図であり、図１のＺ−Ｚ線に沿う断面を示す図である。本実施の形態３の誘導加熱調理器１００は、第二吸気風路５２内に、第二冷却ファン７０が設けられている。第二冷却ファン７０は、冷却ファン４０と同様に軸流ファンであり、回転軸が前後方向に水平に向くようにして設置されている。第二冷却ファン７０の送風断面積は、第二吸気風路５２の風路断面積とほぼ同じである。第二冷却ファン７０の吸引側は前面吸気口１２と対面し、第二冷却ファン７０が動作することによって前面吸気口１２に吸引力を生じさせる。図８の例では、第二被冷却部品である電源基板３０及び第三被冷却部品である第二インバーター回路基板６０よりも空気流れ上流側に、第二冷却ファン７０が設置されている。
【００５３】
このような構成において、誘導加熱調理器１００が加熱調理を行う際には、冷却ファン４０に加えて第二冷却ファン７０が動作する。第二冷却ファン７０が動作すると、前面吸気口１２から本体ケース１の外部の空気が第二吸気風路５２内へ流入する。第二吸気風路５２内に流入した空気は、第二冷却ファン７０に吸引されて冷却風として送出され、第二インバーター回路基板６０及び電源基板３０の周囲を流れてこれらを冷却する。第二冷却ファン７０を設置することで、第二冷却ファン７０を設けない場合よりも第二吸気風路５２内の風量を増加させることができるので、第二吸気風路５２内に設置された被冷却部品を効率的に冷却することができる。
【００５４】
なお、図８では第二吸気風路５２に電源基板３０と第二インバーター回路基板６０という２つの被冷却部品を配置した例を示したが、被冷却部品の数はこれに限定されない。例えば、実施の形態１で示したように第二吸気風路５２に設置する被冷却部品の数が１つであっても、第二冷却ファン７０を第二吸気風路５２に設けることで、第二吸気風路５２内の風量を増加させて効率よく被冷却部品を冷却することができる。
【００５５】
また、上記実施の形態１〜３では、冷却ファン４０として軸流ファンを設ける例を示したが、複数の風路から吸引される空気をファンの上流側にて合流させることのできる風路構成であれば、他のファン（送風装置）を用いることができる。
【符号の説明】
【００５６】
１  本体ケース、２  天板部、２ａ  プレート、２ｂ  プレート枠、３  加熱口、４  操作部、５  表示部、６  グリル部、７  加熱コイル、１０  インバーター回路基板、１１  背面吸気口、１２  前面吸気口、１３  前面吸気口カバー、１４  排気口、２０  インバーター回路基板、２１  基板、２２  スイッチング素子、２３  ヒートシンク、３０  電源基板、３１  基板、３２  電源回路部品、４０  冷却ファン、４１  第一基板保持台、４２  基板カバー、４３  第二基板保持台、４４  ダクト形成部材、５１  第一吸気風路、５２  第二吸気風路、５３  第一吹出風路、５４  第二吹出風路、６０  第二インバーター回路基板、６１  基板、６２  スイッチング素子、６３  ヒートシンク、７０  第二冷却ファン、１００  誘導加熱調理器、２００  キッチンキャビネット、２０１  キャビネット天板部、２０２  キャビネット後壁、２０３  キャビネット底板、２０４  キャビネット側板、２０５  調理器収容部、２０６  キャビネット開口部、２０７  吸気用開口部、４１１  支持板、４１２  上部周壁、４１３  下部周壁、４１４  保持台下部流入口、４２１  冷却風吹出口、４４１  ダクト上板、４４２  ダクト側板、４４３  ダクト上板傾斜面。
【図１】
2014116266.tif 000003
【図２】
2014116266.tif 000004
【図３】
2014116266.tif 000005
【図４】
2014116266.tif 000006
【図５】
2014116266.tif 000007
【図６】
2014116266.tif 000008
【図７】
2014116266.tif 000009
【図８】
2014116266.tif 000010